(57)【特許請求の範囲】
【請求項１】
下方が開放した剛性材料により構成されるハンガーであって、その頂部には、風管を吊設するメッセンジャーワイヤに取り付ける手段を設け、その両側の端部には、上記風管の両側部に付設した側ヒレに着脱自在に連結する手段を設けたことを特徴とする風管用垂れ防止ハンガー。
【請求項２】
円筒状に膨らんだ状態の風管の直径より僅かに大きな直径を有する略円弧状に形成されることを特徴とする請求項１に記載の風管用垂れ防止ハンガー。
【請求項３】
上記メッセンジャーワイヤへの取付け手段が、相互に逆向きに取り付けられた一対のＪ字状掛留杆から成ることを特徴とする請求項１または２に記載の風管用垂れ防止ハンガー。
【請求項４】
上記風管の側ヒレに着脱自在に連結する手段が、該側ヒレに開設した掛止孔に掛け止められるフックから成ることを特徴とする請求項１、２または３に記載の風管用垂れ防止ハンガー。
【請求項５】
上記両側の端部が、風管の横断面のほぼ４時およびほぼ８時の方向に位置することを特徴とする請求項１、２、３または４に記載の風管用垂れ防止ハンガー。
【請求項６】
上記両側の端部が、弾性的に稍拡がっていることを特徴とする請求項１、２、３、４または５に記載の風管用垂れ防止ハンガー。
【請求項７】
トンネルの天井に沿設されたメッセンジャーワイヤに吊設され、送排気中に円筒状に膨らむと共に、送排気が停止されると垂れ下がる風管において、風管の両側に側ヒレを設け、上記メッセンジャーワイヤに取り付けられた請求項１、２、３、４、５または６に記載の風管用垂れ防止ハンガーの両側の端部により、上記側ヒレをそれぞれ保持せしめるように構成したことを特徴とする垂れ防止ハンガーを備えた風管。
【請求項８】
上記側ヒレを、円筒状に膨らんだ風管の横断面のほぼ４時およびほぼ８時の方向位置に設けたことを特徴とする請求項６に記載の垂れ防止ハンガーを備えた風管。
【発明の詳細な説明】
【０００１】
【発明の属する技術分野】
本発明は、風管用垂れ防止ハンガーおよび垂れ防止ハンガーを備えた風管に関する。
【０００２】
【従来の技術】
一般に、トンネル工事では、図７（Ａ）（Ｂ）に示すように、切羽などの作業現場へ新鮮空気を送り込んだり、現場の汚れた空気を排気するために風管Ｄが使用されている。この風管Ｄは、例えば、ポリエステル等の高張力の合成樹脂などの繊維で織成された芯材布の両面をポリ塩化ビニル等の樹脂で被覆した生布を、約３００〜２,０００ｍｍφの直径を有する長さ約１０ｍの管状に加工したものであり、トンネルの長さに応じて接続して使用される。
【０００３】
ところで、上記種類の風管Ｄは、一日の掘削作業等が終了して空気の送排気の必要がなくなれば、上記送排気装置Ｂの運転を停止する。送排気が停止されると、図７（Ｃ）に示すように、風管Ｄは垂れ下がる。近年、特に小断面のトンネルでは、風管Ｄが垂れ下がると、その下を通行する作業車Ｍが接触して破損事故等を招く虞があった。
【０００４】
【発明が解決しようとする課題】
上述のような破損事故等を防止するため、従来、図７（Ｄ）に示すように、風管Ｄの下にネットＮを張装して、その垂れ下がりを防止していた。しかしながら、ネットＮの設置には時間と労力がかかるだけでなく、風管Ｄの交換や撤去の際にネットＮも取り外さなければならない等の問題点があった。
【０００５】
本発明は、上記従来の問題点を解決するためになされたもので、その目的とするところは、風管を設置したり撤去する時に、同時に迅速且つ容易に取付けたり撤去することができ、また、風管の垂れ下がりを最小限にして、作業車等との接触事故を効果的に防止することができる風管用垂れ防止ハンガーおよび垂れ防止ハンガーを備えた風管を提供することにある。
【０００６】
【課題を解決するための手段】
本発明の風管用垂れ防止ハンガーは、下方が開放した剛性材料により構成されるハンガーであって、その頂部には、風管を吊設するメッセンジャーワイヤに取り付ける手段を設け、その両側の端部には、上記風管の両側部に付設した側ヒレに着脱自在に連結する手段を設けたことを特徴とする。また、円筒状に膨らんだ状態の風管の直径より僅かに大きな直径を有する略円弧状に形成されることを特徴とする。さらに、上記メッセンジャーワイヤへの取付け手段が、相互に逆向きに取り付けられた一対のＪ字状掛留杆から成ることを特徴とする。また更に、上記風管の側ヒレに着脱自在に連結する手段が、該側ヒレに開設した掛止孔に掛け止められるフックから成ることを特徴とする。更にまた、上記両側の端部が、風管の横断面のほぼ４時およびほぼ８時の方向に位置することを特徴とする。また、上記両側の端部が、弾性的に稍拡がっていることを特徴とするものである。
【０００７】
本発明の垂れ防止ハンガーを備えた風管は、トンネルの天井に沿設されたメッセンジャーワイヤに吊設され、送排気中に円筒状に膨らむと共に、送排気が停止されると垂れ下がる風管において、風管の両側に側ヒレを設け、上記メッセンジャーワイヤに取り付けられた上記構成の風管用垂れ防止ハンガーの両側の端部により、上記側ヒレをそれぞれ保持せしめるように構成したことを特徴とする。また、上記側ヒレを、円筒状に膨らんだ風管の横断面のほぼ４時およびほぼ８時の方向位置に設けたことを特徴とするものである。
【０００８】
【発明の実施の形態】
以下、本発明の実施の形態について、図面を参照しながら説明する。
図１（Ａ）及び（Ｂ）において、１は風管であって、その頂部には吊ヒレ１ａが長手方向に沿設されている。該吊ヒレ１ａには、適当な間隔をあけて鳩目など多数の吊り孔（図示せず）が設けられている。該吊り孔に掛け止めたＳ字環などの掛止具２を介して、上記風管１がメッセンジャーワイヤ３に吊設される。該メッセンジャーワイヤ３はアイボルトなどの固定具４によりトンネルＴの天井に張設されている。
【０００９】
５は垂れ防止ハンガーであって、上記風管１に空気が送り込まれて膨らんだ際の直径より僅かに大きな直径の円弧状を成し、その下方は開放されている。該垂れ防止ハンガー５は、上記風管１の重さにより撓んで変形する虞のない金属製パイプなどの剛性材料により構成される。
【００１０】
上記垂れ防止ハンガー５の頂部には、図２（Ａ）に示すように、一対のＪ字状掛留杆５ａ、５ｂが付設されている。これらのＪ字状掛留杆５ａおよび５ｂは、垂れ防止ハンガー５を挟む状態で相互に逆向きに取り付けられている。従って、上記垂れ防止ハンガー５を上記メッセンジャーワイヤ３に取り付ける場合には、先ず、図２（Ａ）に示すように、垂れ防止ハンガー５をメッセンジャーワイヤ３に対してほぼ同じ向き（ほぼ平行）にして矢印方向に降ろし、図２（Ｂ）に示すように、両Ｊ字状掛留杆５ａ、５ｂの間にメッセンジャーワイヤ３を挟み込む。続いて、同図に旋回矢印で示すように、垂れ防止ハンガー５をほぼ９０度回転せしめて、図２（Ｃ）に示すように、垂れ防止ハンガー５とメッセンジャーワイヤ３を直交せしめる。この吊設状態（図２（Ｄ）及び（Ｅ）も参照）で、垂れ防止ハンガー５はメッセンジャーワイヤ３に対して、上下左右の動きが規制され、風管１の揺れ等により容易に外れる虞はない。
【００１１】
図１および図３から明らかなように、上記垂れ防止ハンガー５の両側の端部５ｃは扁平状に潰されていて、ここに止め孔５ｃ′が開設されている。該止め孔５ｃ′にはフック６が取り付けられている。１ｂは、風管１の両側に付設された側ヒレであって、鳩目などの掛止孔１ｃが開設されている。該掛止孔１ｃには、上記フック６が着脱自在に掛け止められる。図１（Ａ）から明らかなように、左右の側ヒレ１ｂは、それぞれ時計の短針の４時方向ｄ１と８時方向ｄ２の位置に配置されている。この側ヒレ１ｂの４時−８時位置は、図４に示すように、送排気を停止して窄んだ状態の風管１の最下部の垂れ下がり量ができるだけ少なくなる位置である。
【００１２】
本発明の対象とする風管は、トンネルの天井に沿設されたメッセンジャーワイヤに吊設され、送排気中に円筒状に膨らむと共に、送排気が停止されると垂れ下がる種類の風管であれば、その材質、構成や大きさ等はいずれでもよい。また、これらの風管の両側に付設する横ヒレの取付位置は、上記４時−８時の位置に限定するものではなく、３時−９時の位置から５時−７時の位置の間のいずれの位置でもよい。
【００１３】
図５に示すように、上記垂れ防止ハンガー５は、その両側の端部５ｃが風管１の側ヒレ１ｂに接続されていないフリーの状態において、破線で示すように、弾性的に稍拡がった状態に構成してもよい。この場合には、風管１の垂れ下がり量を更に防止することができる。また、上記垂れ防止ハンガー５は、上記円弧状に限定するものではなく、例えば、図６に示すように、その中央頂部が上記メッセンジャーワイヤ３に吊設された状態で、両側の端部５ｃが風管１の側ヒレ１ｂの近くに位置する形状であれば、いずれでもよい。
【００１４】
さらに、上記垂れ防止ハンガー５の頂部は、相互に逆向きに取り付けられた一対のＪ字状掛留杆５ａ、５ｂによりメッセンジャーワイヤ３に取り付けられているが、本発明の取り付け手段は、これに限定するものではなく、風管１の揺れなどにより動揺することなく安定して取り付けられる構造であれば、いずれでもよい。なお、上記実施例のように、垂れ防止ハンガー５の頂部をメッセンジャーワイヤ３の上側に位置させるほうが、取付構造が簡単で、トンネルＴの天井に近づけて安定かつコンパクトに納めることができて、好ましい。
【００１５】
【発明の効果】
本発明の風管用垂れ防止ハンガーおよび垂れ防止ハンガーを備えた風管によれば、風管を設置したり撤去する時に、同時に迅速且つ容易に取付けたり撤去することができ、また、風管の垂れ下がりを最小限にして、作業車等との接触事故を効果的に防止することができる。
【図面の簡単な説明】
【図１】本発明の風管用垂れ防止ハンガーおよび垂れ防止ハンガーを備えた風管の一実施例を示す説明図である。
【図２】風管用垂れ防止ハンガーをメッセンジャーワイヤに取り付ける手段の一実施例を示す構成および取り付け説明図である。
【図３】風管用垂れ防止ハンガーの両側の端部を風管の側ヒレに取り付ける手段の一実施例を示す説明図である。
【図４】送排気を停止した状態の風管およびその垂れを防止する風管用垂れ防止ハンガーの説明図である。
【図５】風管用垂れ防止ハンガーの別の実施例を示す説明図である。
【図６】風管用垂れ防止ハンガーの更に別の実施例を示す説明図である。
【図７】従来の風管およびその問題点を説明する図である。
【符号の説明】
１  風管
１ａ  吊ヒレ
１ｂ  側ヒレ
１ｃ  掛止孔
２  掛止具
３  メッセンジャーワイヤ
４  固定具
５  垂れ防止ハンガー
５ａ、５ｂ  Ｊ字状掛留杆
５ｃ  端部
５ｃ′止め孔
６  フック
Ｂ  送排気装置
Ｄ  風管
Ｍ  作業車
Ｎ  ネット
Ｔ  トンネル
【図１】
0004127766.tif 000002
【図２】
0004127766.tif 000003
【図３】
0004127766.tif 000004
【図４】
0004127766.tif 000005
【図５】
0004127766.tif 000006
【図６】
0004127766.tif 000007
【図７】
0004127766.tif 000008